(57)【要約】【課題】携帯電話機は通信情報、ゲーム等には優れているが、真夜中の暗闇の中、地震等の大きな衝撃を受け、携帯電話機が飛び出して手元に無く、折角簡易ライトが備えられていながらも点灯させる事が困難であった。【解決手段】ガラ系携帯電話機のメーンライトＬ１、緊急用ライトＬ２、タッチパネル式携帯電話機では、通知ＬＥＤＬ４とリャーカバーに備えられたメーンライトＬ３とバッテリの回路上に一定時間点灯するタイマー回路Ａを設け、通信中強い衝撃を受けてもメーンライトＬ１、緊急用ライトＬ２、タッチパネル式携帯電話機のメーンライトＬ３と通知ＬＥＤＬ４の作動停止用の通信回路を設け、設定時間各ライトの作動停止用のタイマー回路Ｂを設け、地震等の衝撃を感知しメーンライトＬ１や緊急用ライトＬ２、タッチパネル式携帯電話機の通知ＬＥＤＬ４とリャーカバーに備えられたメーンライトＬ３を点灯用の感震センサと感震回路を備えた。【選択図】図１
2018011283.tif 000002
【特許請求の範囲】
【請求項１】
ガラ系携帯電話機のメーンライトＬ１、緊急用ライトＬ２、タッチパネル式携帯電話機では、通知ＬＥＤＬ４とリャーカバーに備えられたメーンライトＬ３とバッテリの回路上に一定時間点灯するタイマー回路Ａを設け、通信中強い衝撃を受けてもメーンライトＬ１、緊急用ライトＬ２、タッチパネル式携帯電話機のメーンライトＬ３と通知ＬＥＤＬ４の作動停止用の通信回路を設け、設定時間各ライトの作動を停止する為のタイマー回路Ｂを設け、地震等の衝撃を感知しメーンライトＬ１や緊急用ライトＬ２、タッチパネル式携帯電話機の通知ＬＥＤＬ４とリャーカバーに備えられたメーンライトＬ３を点灯用の感震センサと感震回路を備えたことを特徴とする感震ライト付き携帯電話。
【発明の詳細な説明】
【技術分野】
【０００１】  本発明は、携帯電話機が設定時間の範囲で設定以上の振動を感知して一定時間点灯し、尚且つ、懐中ライトとしての機能を備えた感震ライト付き携帯電話機に関するものである。
【背景技術】
【０００２】  従来、携帯電話機は通話、メール、インターネットなどの通信手段として使用されているが、簡易ライトを作動させるタッチパネルやプシュボタンを備え手動で点灯させている。
【先行技術文献】
【特許文献】
【０００３】
【特許文献１】特開２０１２−２３４７５６号公報
【発明の概要】
【発明が解決しようとする課題】
【０００４】  しかしながら、従来の携帯電話機は通信情報、ゲーム等には優れているが、真夜中の暗闇の中、地震等の大きな衝撃を受け、携帯電話機が飛び出して手元に無く、折角簡易ライトが備えられていながらも点灯させる事が困難であった。そこで、この発明は、例えば、ガラ系携帯電話機が折り畳んでいてもメーンライトとリャーカバーに備えられた緊急用ライトが自動で点灯、タッチパネル式携帯電話機では、メーンライトと通知ＬＥＤが点灯する為、暗闇でも即携帯電話機を取れ緊急事態を避難出来る事を課題とする。
【課題を解決するための手段】
【０００５】  上述の課題を解決するために、この発明は、請求項１に記載のガラ系携帯電話機のバッテリの回路上に一定時間点灯するタイマー回路Ａを設け、通信中強い衝撃を受けてもメーンライトＬ１、緊急用ライトＬ２、タッチパネル式携帯電話機のメーンライトＬ３と通知ＬＥＤＬ４の作動停止用の通信回路を設け、設定時間各ライトの作動停止用タイマ回路Ｂを設け、地震等の衝撃を感知しメーンライトＬ１や緊急用ライトＬ２、タッチパネル式携帯電話機の通知ＬＥＤＬ４とリャーカバーに備えられたメーンライトＬ３を点灯させる為の感震センサと感震回路を備え、従来の問題点を解消する事が出来る。
【発明の効果】
【０００６】  夜間暗闇で突然の地震等の衝撃（振動５強）で携帯電話機を折り畳んでいても、メーンライトＬ１、緊急用ライトＬ２、または、タッチパネル式携帯電話機の通知ＬＥＤＬ４とリャーカバーに備えられたメーンライトＬ３を自動点灯する為、素早く手に取る事が出来、安全に避難する事が出来る。
【図面の簡単な説明】
【０００７】
【図１】本発明のガラ系携帯電話機のブロック図である。
【図２】本発明のタッチパネル式ブロック図である。
【図３】本発明のガラ系携帯電話機のプッシュボタンパネルのリャーカバーの平面図である。
【図４】本発明のガラ系携帯電話機のサブディスプレー側の平面図である。
【図５】本発明のタッチパネル式携帯電話機のメーンディスプレー側の斜視面である。
【図６】本発明のタッチパネル式携帯電話機のリャーカバーの斜視図である。
【発明を実施するための形態】
【０００８】  以下、本発明の実施の形態を参照しながら説明する。
図１は、本実施形態に係るガラ系携帯電話機（１）内部に設けられる回路を示すブロック図で、メーンライトＬ１と裏ケースに設けられた緊急用ライトＬ２であり、ガラ系携帯電話機（１）内に設けられている感震センサ（６）が、５強の振動を感知し、タイマー回路Ｂ（７）により設定時間メーンライトＬ１と緊急用ライトＬ２は、タイマー回路Ａ（８）により一定時間点灯する。その後、懐中電灯として使用するには、従来の点灯用のプシュボタン式かタッチパネルを操作する事で使用可能である。
【０００９】  また、ガラ系携帯電話機はメーンライトＬ１と緊急用ライトＬ２、タッチパネル式携帯電話機ではメーンライトＬ３、通知ＬＥＤは機内に設けられている感震センサ（６）感震回路（１０）の制御で５強の振動を感知しても、また、通信回路（９）の制御により、通信中は点灯しない構造となっている。
【００１０】  また、図２は、本実施形態に係るタッチパネル式携帯電話機内部に設けられる回路を示すブロック図で、タッチパネル式携帯電話機（２）のメーンライトＬ３とリャーカバーの通知ＬＥＤＬ４を点灯させるタッチパネル式携帯電話機内に設けられている感震センサ（６）が、５強の振動を感知し、タイマー回路Ｂ７により例えばＰＭ９時からＡＭ６時頃まで、タイマー回路Ａにより一定時間として例えば１２０秒間点灯される。その後、点灯を継続するには従来の操作で継続可能である。また、通信回路（９）の制御により、通信中はメーンライトＬ３と通知ＬＥＤＬ４も点灯しない構造となっている。
【００１１】  また、図３は、ガラ系携帯電話機であり、プッシュボタンのリャーカバーの平面図で、リャーカバー上部付近に緊急用ライトＬ２を備え事で深夜暗闇の中、地震等で衝撃（振動５強）を受けた時、自動で点灯し携帯電話機の居場所が見つかり足元を照らして安全に避難する事が出来る。
【００１２】  また、図４は、ガラ系携帯電話機（１）を閉じたメーンディスプレーパネルのリャーカバーの平面図で、本機能を備える事でメーンライトＬ１が深夜暗闇の中、地震等で衝撃（震度５強）を受けた時、自動で点灯し携帯電話機の居場所が見つかり足元を照らして安全に避難が可能である。
睡眠時の待機で、ガラ系携帯電話機は閉じている為、メーンライトＬ１と緊急用ライトＬ２が同時に点灯する事で深夜暗闇の中でも居場所が見つかり足元を照らして安全に避難する事が出来る。
【００１３】  また、図５は、タッチパネル式携帯電話機の斜視図でタッチパネル式携帯電話機（２）内部に設けられタッチパネル式携帯電話機（２）のメーンライトＬ３又は、通知ＬＥＤＬ４を作動させる感震センサ（６）が、５強の振動を感知し、タイマー回路Ｂ（７）により設定時間内、タイマー回路Ａ（８）により一定時間点灯される、その後、点灯を継続するには、従来の操作でメーンライトＬ３だけを点灯可能である。
但し通信中は、通信回路（９）の制御により点灯しない構造となっている。
【００１４】  また、図６はタッチパネル式携帯電話機（２）のカメラ用ライト付き面の斜視図で本装置を備える事でタッチパネル式携帯電話機（２）のメーンライトＬ３と通知ＬＥＤＬ４が同時に点灯する為深夜暗闇の中でも居場所が見つかり足元を照らして安全に避難が出来る。
【符号の説明】
【００１５】  １    ガラ系携帯電話機本体
２    タッチパネル式携帯電話機本体
３    サブディスプレーパネル
Ｌ１  メーンライト
Ｌ２  緊急用ライト
Ｌ３  メーンライト
Ｌ４  通知ＬＥＤ
５    サブカメラ
６    感震センサ
７    タイマー回路Ｂ
８    タイマー回路Ａ
９    通信回路
１０    感震回路
１１    バッテリ
１２    タッチパネル式携帯電話機のリャーカバー
１３    タッチパネル式携帯電話機のメーンカメラ
【図１】
2018011283.tif 000003
【図２】
2018011283.tif 000004
【図３】
2018011283.tif 000005
【図４】
2018011283.tif 000006
【図５】
2018011283.tif 000007
【図６】
2018011283.tif 000008